(57)【要約】  【課題】  十分な照度を持つものでありながら、発光ダイオードの発熱を効率よく放散することのできるスポットライトを提供する。  【解決手段】  基板(６)に白色発光ダイオード(５)を設置し、この基板(６)の前方にスペーサ(７)を介してレンズ固定板(８)を配置する。前記白色発光ダイオード(５)に対応させて配置したレンズ(９)をこのレンズ固定板(８)に挿入固定するとともに、レンズ固定板(８)の前側に前カバー(10)を配設し、この前カバー(10)をレンズ固定板(８)に連結固定する。基板(６)を放熱用ブラケット(11)を介してランプシェード(12)内に配設固定することにより、基板(６)、レンズ固定板(８)、前カバー(10)をランプシェード(12)内に位置させる。【選択図】    図２
2006294526.tif 000002
【特許請求の範囲】
【請求項１】
基板(６)に白色発光ダイオード(５)を設置し、この基板(６)の前方にスペーサ(７)を介してレンズ固定板(８)を配置し、前記白色発光ダイオード(５)に対応させて配置したレンズ(９)をこのレンズ固定板(８)に挿入固定するとともに、レンズ固定板(８)の前側に前カバー(10)を配設してこの前カバー(10)をレンズ固定板(８)に連結固定し、基板(６)を放熱用ブラケット(11)を介してランプシェード(12)内に配設固定することにより、基板(６)、レンズ固定板(８)、前カバー(10)をランプシェード(12)内に位置させるようにしたことを特徴とするスポットライト。
【請求項２】
基板(６)、スペーサ(７)、レンズ固定板(８)、前カバー(10)、放熱用ブラケット(11)、ランプシェード(12)をそれぞれ熱伝導率の良い金属板製とした請求項１に記載のスポットライト。
【請求項３】
基板(６)に複数の複数の発光ダイオード(５)を設置し、各発光ダイオード(５)に対応させて、それぞれレンズ(９)が配設してある請求項１又は２に記載のスポットライト。
【発明の詳細な説明】
【技術分野】
【０００１】
本発明は発光ダイオード(ＬＥＤ)を利用した半導体発光による照明装置に関し、特に、店舗や各種展示空間で使用する小型のスポットライトに関する。
【背景技術】
【０００２】
従来、スポットライトの光源としては、電球が多く用いられている。しかし、電球は、輝度は高いが、電力消費量や発熱量が多いため、これらを低減させる光源がもとめられている。
【０００３】
近年、高輝度の発光ダイオードが提供されるようになり、これを用いたライトも実用化されている。
【０００４】
例えば、特許文献１には、砲弾型の第１レンズ内に発光ダイオードを組み込み、この第１ンズの前側に拡散板を配置し、この拡散板の前方に第２レンズを配置したスポットライトが、また、特許文献２には、発光ダイオードを保持するとともに先部にレンズの外周基部を支持した内筒部にレンズを固定する外筒部を螺合して構成したスポットライトがそれぞれ開示してある。
【特許文献１】特開２０００-１８８００２号公報
【特許文献２】特開２００４−１５８２７６号公報
【発明の開示】
【発明が解決しようとする課題】
【０００５】
しかしながら、いずれのスポットライトも、発光ダイオードをケーシング内に収納して、非開放型に構成してあることから、発光ダイオードからの発熱による熱がケーシング内にこもりやすく、光源装置として熱を持ちやすいという問題がある。
【０００６】
このような点に着目して、本発明は、十分な照度を持つものでありながら、発光ダイオードの発熱を効率よく放散することのできるスポットライトを提供することを目的とする。
【課題を解決するための手段】
【０００７】
上述の目的を達成するために本発明は、基板に白色発光ダイオードを設置し、この基板の前方にスペーサを介してレンズ固定板を配置し、前記白色発光ダイオードに対応させて配置したレンズをこのレンズ固定板に挿入固定するとともに、レンズ固定板の前側に前カバーを配設してレンズ固定板に連結固定し、基板を放熱用ブラケットを介してランプシェード内に配設固定することにより、基板、レンズ固定板、前カバーをランプシェード内に位置させるようにしたことを特徴としている。
【発明の効果】
【０００８】
本発明では、発光ダイオードを設置している基板を放熱用ブラケットを介してランプシェード内に配設固定するとともに、基板の前方にスペーサを介してレンズ固定板を配置し、レンズ固定板の前面に前カバーを配置しているので、発光ダイオードで発生した熱は、ランプシェードや前カバー部分を含む広い面積から放熱されることになる。この結果、発光ダイオードの熱による寿命低下を極力防止することができる。
【発明を実施するための最良の形態】
【０００９】
図は本発明の一実施形態を示し、図１は全体斜視図、図２はランプ部分の分解斜視図、図３は横断平面図である。
このスポットライトは、ダクトレールに嵌着して使用するもので、電圧制御及び電流制御回路基板を組込んだ電源ブロック(１)の上面にダクトレール用コンセント(２)を配置し、電源ブロック(１)の下面に水平回転可能に枢支した二又状アーム(３)に照明ランプ部(４)を水平軸周りに揺動可能に枢支した構造となっている。
【００１０】
照明ランプ部(４)は図２及び図３に示すように、４つの白色発光ダイオード(ＬＥＤ)(５)を固定した円形基板(６)と、この円形基板(６)の前側にロッド状スペーサ(７)により一定距離離して配置したレンズ固定板(８)と、このレンズ固定板(８)に前記発光ダイオード(５)に対応する状態で嵌着されるレンズ(９)と、前記レンズ固定板(８)の前側に位置してこのレンズ固定板(８)と協働して前記各レンズ(９)を固定保持する前カバー(10)と、前記円形基板(６)の背面側に連結固定されている放熱ブラケット(11)と、この放熱ブラケット(11)を内面部分に固定するランプシェード(12)とで形成されており、これら組み付けられた放熱ブラケット(11)、円形基板(６)、ロッド状スペーサ(７)、レンズ固定板(８)、前カバー(10)は、ランプシェード(12)内に位置するように形成してある。
【００１１】
レンズ固定板(８)に嵌着するレンズ(９)は、それぞれ前面側が大径の円錐台型をしている。このレンズ(９)には大径側端面と小径側端面とからそれぞれ同径の凹陥穴(13)(14)が形成してあり、小径側凹陥穴(14)の奥端壁部分を凸曲面に形成している。そして、レンズ(９)をレンズ固定板(８)に固定して正規の位置にセットした状態では、小径側凹陥穴(14)が各発光ダイオード(５)に套嵌するようにしてある。
【００１２】
また、放熱ブラケット(11)、円形基板(６)、ロッド状スペーサ(７)、レンズ固定板(８)、前カバー(10)、ランプシェード(12)は、それぞれ熱伝導率の良い金属で形成してあり、ランプシェード(12)には放熱用の溝孔(15)が透設してある。
【００１３】
上述の構成からなるスポットライトは、例えば３Ｗの白色発光ダイオード(５)を４個使用して、ＡＣ１００Ｖの商用電源に接続して点灯し、２時間経過した場合の、正面１ｍ位置での照度を検出したところ、その照度は４５９０〜５７２０lxであり、３０台の平均照度は５０６７lxであつた。また、２時間連続点灯した際での、放熱板の基板への固定個所での裏面部分における温度を測定したところ、周囲温度２３℃に対して検出個所での温度が７０.１〜７５.１℃で温度上昇値は４７.１〜５２.１℃であった。
【００１４】
上述の実施形態では、ダクトレールに取り付けて使用する形式のものについて説明したが、天井や壁面に取り付けて使用するようにしても良い。また、電圧制御回路基板や及び電流制御回路基板をランプシェード内に配置し、ランプシェードから導出された電源コードを直接商用電源に接続するようにしても良い。
【産業上の利用可能性】
【００１５】
本発明は、店舗での商品照明や、美術館や博物館での展示物の照明に使用することができる。
【図面の簡単な説明】
【００１６】
【図１】一実施形態での全体斜視図である
【図２】照明ランプ部分の分解斜視図である
【図３】照明ランプ部分の横断平面図である
【符号の説明】
【００１７】
５…発光ダイオード、６…基板、７…スペーサ、８…レンズ固定板、９…レンズ、10…前カバー、11…放熱用ブラケット、12…ランプシェード。
【図１】
2006294526.tif 000003
【図２】
2006294526.tif 000004
【図３】
2006294526.tif 000005